(57)【要約】【課題】清掃面の凹凸や硬さによって回転清掃体が意図せずに停止し、掃除能力が低下してしまうことを防ぎ、掃除能力が高く使い勝手の良い電気掃除機の吸口体及びこれを備える電気掃除機を提供する。【解決手段】  吸口体内に回転清掃体と、回転清掃体を駆動するための電動機と、吸口体の被掃除面への接触および非接触の状態を検出する検出部と、検出部が被掃除面と非接触の状態であることを検出したときに自動的に前記回転清掃体の回転を停止する安全スイッチを備え、前記吸口体は上方を覆うカバーと被清掃面に接するケースとで構成し、該ケースは前記カバーに回動軸にて軸支され、前記ケースは前記検出部と一体で少なくとも前記開口部を除き被掃除面に対面し、前記ケースの回動により前記安全スイッチのオンオフ操作を行う操作部を有する。【選択図】図６
2019058565.tif 000002
【特許請求の範囲】
【請求項１】
被掃除面に対面する開口部を有する吸口体と、前記吸口体内に回転清掃体と、前記回転清掃体を駆動するための電動機と、前記吸口体の被掃除面への接触および非接触の状態を検出する検出部と、該検出部が被掃除面と非接触の状態であることを検出したときに自動的に前記回転清掃体の回転を停止する安全スイッチを備えた電気掃除機において、前記吸口体は上方を覆うカバーと被清掃面に接するケースとで構成し、該ケースは前記カバーに回動軸にて軸支され、前記ケースは前記検出部と一体で少なくとも前記開口部を除き被掃除面に対面し、前記ケースの回動により前記安全スイッチのオンオフ操作を行うことを有することを特徴とする電気掃除機の吸口体。
【請求項２】
請求項１記載の吸口体において、前記回動軸を回転清掃体よりも前方に設けたことを特徴とする電気掃除機の吸口体。
【発明の詳細な説明】
【技術分野】
【０００１】
本発明は、電気掃除機の吸口体に関する。
【背景技術】
【０００２】
従来の電気掃除機のうち、回転清掃体を電動機で駆動する吸口体では、吸口体下部に、上下方向に回動自在に軸支された床面検出車輪支持部と、床面検出車輪支持部により支持される床面検出車輪を設け、床面検出車輪支持部の回動により回転清掃体を回転・停止する安全スイッチを設け、吸口体を持ち上げたときに床面検出車輪支持部が回動して回転清掃体の回転が自動的に停止するようにしたものがある。(例えば，特許文献１参照)
【先行技術文献】
【特許文献】
【０００３】
【特許文献１】特許第4617558号公報
【発明の概要】
【発明が解決しようとする課題】
【０００４】
しかしながら特許文献１に記載の吸口体は、吸口体が清掃面に接した時に床面検出車輪が吸口体側に押し込まれ、それに伴い床面検出車輪支持部が回動することで回転清掃体が回転する構造である。そのため、大きい凹凸のある清掃面では床面検出車輪が清掃面に接さず、吸口体側に押し込まれなくなることで回転清掃体が停止してしまい、塵埃の掻き上げができなくなり、掃除能力が低下する場合がある。また、布団などの柔らかい清掃面で使用する際には、床面検出車輪が清掃面側に埋没して吸口体側に押し込まれなくなるため回転清掃体が停止してしまい、塵埃の掻き上げができなくなり、掃除能力が低下する場合がある。
【０００５】
本発明の目的は、清掃面の凹凸や硬さによって回転清掃体が意図せずに停止し、掃除能力が低下してしまうことを防ぎ、掃除能力が高く使い勝手の良い電気掃除機の吸口体及びこれを備える電気掃除機を提供することにある。
【課題を解決するための手段】
【０００６】
被掃除面に対面する開口部を有する吸口体と、吸口体内に回転清掃体と、回転清掃体を駆動するための電動機と、吸口体の被掃除面への接触および非接触の状態を検出する検出部と、検出部が被掃除面と非接触の状態であることを検出したときに自動的に前記回転清掃体の回転を停止する安全スイッチを備え、前記吸口体は上方を覆うカバーと被清掃面に接するケースとで構成し、該ケースは前記カバーに回動軸にて軸支され、前記ケースは前記検出部と一体で少なくとも前記開口部を除き被掃除面に対面し、前記ケースの回動により前記安全スイッチのオンオフ操作を行う。
【発明の効果】
【０００７】
本発明によれば、清掃面の凹凸や硬さによって回転清掃体が意図せずに停止し、塵埃の掻き上げができなくなり、掃除能力が低下してしまうことを防ぎ、掃除能力が高く使い勝手の良い電気掃除機の吸口体及びこれを備える電気掃除機を提供することができる。
【図面の簡単な説明】
【０００８】
【図１】本発明に係る電気掃除機の全体を示す外観斜視図である。
【図２】本発明に係る電気掃除機において延長管を省いた状態を示す外観斜視図である。
【図３】本発明に係る吸口体の上面図である。
【図４】本発明に係る吸口体の下面図である。
【図５】本発明に係る吸口体の上側部分を取り外した状態の上面斜視図である。
【図６】図３に記載の吸口体のＡ−Ａ断面図である。
【図７】図３に記載の吸口体が被掃除面に接した時のＡ−Ａ断面図である。
【発明を実施するための形態】
【０００９】
以下、本発明に係る実施例について図面を参照して説明する。
【００１０】
図１に本発明の電気掃除機の外観図を示す。電気掃除機１は、掃除機本体２と、ホース部３と接続し手元操作スイッチ等が設けられた操作管４と、伸縮自在に設けられた延長管５と、吸口体６とで構成されている。
【００１１】
掃除機本体２は、吸引力を発生させる電動送風機２ａ、この電動送風機２ａの吸引力で集塵した塵埃を収容する集塵部２ｂなどを備えている。なお、本実施例では、いわゆるサイクロン式の電気掃除機を例に挙げて説明するが、いわゆる紙パック式の電気掃除機に適用してもよい。
【００１２】
ホース部３の一端は、掃除機本体２の集塵部２ｂと連通するように掃除機本体２の接続口２ｃに接続されている。また、ホース部３の他端は、操作管４の一端に接続されている。
【００１３】
操作管４は、手元操作スイッチなどを備えたハンドル４ａ、掃除機本体２から給電される図示しない給電端子などを備えている。この給電端子には、延長管５の一端に設けられる図示しない通電端子が接続される。
【００１４】
操作管４の手元操作スイッチを操作することによって、電動送風機２ａの運転と停止や強中弱の切り替え、吸口体６に設けられた電動機１０（図４参照）の運転と停止が可能となっている。
【００１５】
延長管５は、外管５ａと内管５ｂとを備え、外管５ａの他端部に内管５ｂの一端部が挿入されて外管５ａと内管５ｂとの内側に設けられた図示しない通風路が連通するように連結されて、伸縮自在に構成されている。なお、図１は、延長管５が最短の状態を図示している。
【００１６】
また、図２には図１に示す延長管５を省いた状態を示す。本実施例にて、本発明の吸口体６を使用する際、手元近くに吸口体６があることで、例えばソファーや布団などの掃除において、操作しやすい状態となる。
【００１７】
図３は、吸口体６の上面図である。
図３に示すように、吸口体６は、上面視において吸口ケース7と、吸口ケース7に連結される吸口継手８とを備えている。
吸口ケース7は、上面視において、左右方向（幅方向）に細長く形成される。
吸口継手８は、吸口ケース7に対して回動自在に連結される連結部９を備えている。
【００１８】
連結部９は、軸方向が吸口ケース7の左右方向であって、図５の側面断面図において略円筒形状部９ａを呈し、吸口ケース7と連結されている。また、連結部９は、吸口継手８が被掃除面（清掃面）Ｍ（図７参照）に対して略平行な状態から略垂直な状態まで（上下方向に）回動可能となるように構成されている。すなわち、連結部９を吸口ケース7に対して略円筒形状部９ａを支点として回動させることによって、延長管５（図１参照）もしくは操作管４（図２参照）を被掃除面Ｍ（図７参照）に略平行な状態と略垂直な状態との間において回動させることができる。
【００１９】
また、吸口継手８には、給電が行われる給電端子８ａが設けられている。なお、本実施例の電気掃除機１（図１参照）では、吸口体６に給電する電力を、掃除機本体２からホース部３、操作管４、延長管５を通じて供給するように構成している。
【００２０】
図４は、吸口体６の下面図である。
図４に示すように、吸口体６には、回転清掃体１３を備えている。吸口ケース７には、下面（清掃面に対峙する面）に開口部を有するブラシ室Ｑが形成されている。
【００２１】
回転清掃体１３は、吸口ケース７の左右方向に沿って前後方向の前側に配置され、ブラシ室Ｑ内に回転可能に支持されている。また、回転清掃体１３は、吸口ケース７の左右方向（回転清掃体１３の軸方向）の一端側から他端側まで連続して設けられている。
【００２２】
また、回転清掃体１３は、硬さが異なるブラシなど複数種類のブラシ１３ａ、１３ｂ、を備え、各ブラシ１３ａ、１３ｂがらせん状に配設されている。なお、本実施形態では、２種類のブラシ１３ａ、１３ｂを配設した場合を例に挙げて説明したが、これに限定されるものではなく、３種類以上であってもよく、らせん状に配置されたブラシ間にゴムなどの弾性材料からなるブレード部材をらせん状に配置する構成を追加してもよく、適宜変更することができる。
【００２３】
軸受押え部材１４は、回転清掃体１３の回転軸の一端を支持するものであり、吸口ケース７にねじを用いて固定されている。
【００２４】
軸受押え部材１５は、回転清掃体１３の回転軸の他端を支持するものであり、取り外し可能となるように吸口ケース７にロック機構（図示せず）を用いて固定されている。
そして吸口体下面には、ブラシ室Ｑの開口を除く吸口体の下面全体を覆う下面ケース１６が取り付けられている。
【００２５】
図５は、吸口体６の吸口ケース７の上側部分を取り外した状態の上面斜視図である。図５に示すように、吸口体６は、回転清掃体１３（図４参照）の後方に、回転清掃体１３を駆動する電動機１０および電動機１０を制御する回路基板１２を備えている。
【００２６】
電動機１０は、吸口ケース７の左右方向の一端側に取り付けられている。また、電動機１０は、その出力軸が吸口ケース７の左右方向と平行に配置されている。また、電動機１０の出力軸は、左右方向の一端側に向けて延び、吸口ケース７内の一端部（図示左側の端部）において、歯付きベルト１１を介して回転清掃体１３と連結されている。
【００２７】
回路基板１２は、吸口ケース７の左右方向で電動機１０とは反対側に取り付けられている。また、回路基板１２は、実装面が鉛直方向上向きの状態で吸口ケース７内に配置されている。なお、実装面は、必ずしも鉛直方向上向きに限定されず、水平方向に対して傾斜してもよい。
【００２８】
図６は図３におけるＡ−Ａ断面図である。図６において、下面ケース１６は回動軸１７で吸口ケース７に回動自在に取り付けられ、バネ１８により下方向に付勢されている。回動軸１７は、回転清掃体１３よりも前方に設けており、好ましくは図６のように前端に設けると良い。これは、凹凸のある被清掃面Ｍ（図７参照）を清掃する際に、被清掃面Ｍに下面ケース１６を追従しやすくするためである。本実施例のように回動軸１７を前端に設けた場合、回動（上下動）する距離が最大となり、凹凸の大きな被清掃面Ｍでもスムーズな清掃が可能となる。下面ケース１６の回動は係止部２１で係止され、また係止部２１は下面ケース１６の脱落を防いでいる。また、吸口ケース７には安全スイッチ２０を備えており、安全スイッチ２０に隣接するように安全スイッチ操作部１９を設けている。図６は下面ケース１６が下方へ最大限に動いた状態（係止部２１で止まった状態）であり、安全スイッチ２０により通電を遮断している。したがって、図６は回転清掃体１３の回転は停止状態である。
図７に吸口体６が被清掃面Ｍに接している状態でのＡ−Ａ断面図を示す。
吸口体６が被清掃面Ｍに接すると、下面ケース１６が上方に向かって回動し、それに伴い安全スイッチ操作部１９が安全スイッチ２０を操作して電動機１０に通電し、回転清掃体１３が回転を始める。この状態で吸口体６を図７の前方に移動させ、被清掃面Ｍの凹部Ｌに差し掛かっても、凹部の前後幅が吸口ケース７前後幅よりも大きく、吸口体６が完全に被清掃面から離れてしまわない限り下面ケース１６の少なくとも一部は被清掃面に接し続けるため、回転清掃体１３は回転を続け、高い掃除能力を維持することができる。
なお、本実施例では、下面ケース１６はブラシ室Ｑの開口部のみに開口をもつ形状としているが、他に開口を有してもよく、また、格子状であってもよい。
また、下面ケース１６の回動軸１７は、本実施例では前方に設けているが、前後関係を逆にして後方（回転清掃体１３よりも後方）に設けても同様の効果が得られる。
【符号の説明】
【００２９】
１      電気掃除機
２      掃除機本体
２ａ    電動送風機
２ｂ    集塵部
６      吸口体
７      吸口ケース
１０    電動機
１１    吸口本体
１２    回路基板
１３    回転清掃体
１６    下面ケース
１７    回動軸
１８    バネ
１９    安全スイッチ操作部
２０    安全スイッチ
２１    係止部
Ｌ      被清掃面（床面）の凹部
Ｍ      被清掃面（床面）
Ｑ      ブラシ室
【図１】
2019058565.tif 000003
【図２】
2019058565.tif 000004
【図３】
2019058565.tif 000005
【図４】
2019058565.tif 000006
【図５】
2019058565.tif 000007
【図６】
2019058565.tif 000008
【図７】
2019058565.tif 000009